【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
方法であって、
アクセスプロバイダからサービスプロバイダについてのメッセージを受信するステップを含み、前記メッセージは前記アクセスプロバイダのユーザの第１の識別子に関連付けられ、前記方法は、さらに、
第２の識別子を得るステップと、
前記メッセージから前記第１の識別子を分離するステップと、
前記メッセージを前記第２の識別子に関連付けるステップと、
前記第２の識別子に関連付けられた前記メッセージを前記サービスプロバイダに送信するステップとを含む、方法。
【請求項２】
前記第２の識別子に関連付けられる第２のメッセージを前記サービスプロバイダから受信するステップと、
前記第２のメッセージから前記第２の識別子を分離するステップと、
前記第１の識別子を前記第２のメッセージに関連付けるステップと、
前記第１の識別子に関連付けられる前記第２のメッセージを前記アクセスプロバイダに送信するステップとをさらに含む、請求項１に記載の方法。
【請求項３】
前記第２の識別子に関連付けられた個別化情報を検索するステップと、
前記個別化情報のサブセットを前記サービスプロバイダに送信するステップとをさらに含む、請求項１に記載の方法。
【請求項４】
前記個別化情報を送信するステップは、前記個別化情報の部分にアクセスするという前記サービスプロバイダからの要求の受信に応答するものである、請求項３に記載の方法。
【請求項５】
前記アクセスプロバイダから第２のサービスプロバイダについての第２のメッセージを受信するステップを含み、前記第２のメッセージは前記第１の識別子に関連付けられ、さらに、
前記第２のメッセージから前記第１の識別子を分離するステップと、
前記第２のメッセージを前記第２の識別子に関連付けるステップと、
前記第２の識別子に関連付けられた前記第２のメッセージを前記第２のサービスプロバイダに送信するステップと、
前記個別化情報の第２のサブセットを前記サービスプロバイダに送信するステップとをさらに含む、請求項３に記載の方法。
【請求項６】
前記アクセスプロバイダから第２のサービスプロバイダについての第２のメッセージを受信するステップを含み、前記第２のメッセージは前記第１の識別子に関連付けられ、さらに、
前記第２のメッセージから前記第１の識別子を分離するステップと、
第３の識別子を得るステップと、
前記第２のメッセージを前記第３の識別子に関連付けるステップと、
前記第３の識別子に関連付けられる前記第２のメッセージを前記第２のサービスプロバイダに送信するステップと、
前記個別化情報の第２のサブセットを前記サービスプロバイダに送信するステップとをさらに含む、請求項３に記載の方法。
【請求項７】
個別化情報を受信するステップと、
前記個別化情報を前記第２の識別子に関連付けるステップと、
前記第２の識別子に関連付けられた前記個別化情報を記憶するステップとをさらに含む、請求項１に記載の方法。
【請求項８】
セッションを前記第２の識別子に関連付けるステップと、
前記メッセージを前記セッションに関連付けるステップと、
セッション管理情報のためのメッセージを評価するステップとを含み、前記セッション管理情報は、前記ユーザと前記サービスプロバイダとの間における情報のやり取りの状態を表わすデータを含み、さらに、
前記アクセスプロバイダから、前記サービスプロバイダについての１つ以上の付加的なメッセージを受信するステップを含み、前記１つ以上の付加的なメッセージは前記第１の識別子に関連付けられ、さらに、
前記アクセスプロバイダから受信した、前記サービスプロバイダについての前記付加的なメッセージの各々のために、前記付加的なメッセージを前記セッションに関連付け、セッション管理情報のために前記付加的なメッセージの各々を評価するステップと、
前記セッション管理情報を記憶するステップとをさらに含む、請求項１に記載の方法。
【請求項９】
第２のアクセスプロバイダから、前記サービスプロバイダについての第２のメッセージを受信するステップを含み、前記第２のメッセージは前記ユーザのための第３の識別子に関連付けられ、さらに、
前記第３の識別子が前記第１の識別子にマップされていると判断するステップと、
前記メッセージから前記第３の識別子を分離するステップと、
前記第２のメッセージを前記第２の識別子に関連付けるステップと、
前記第２の識別子に関連付けられた前記第２のメッセージを前記サービスプロバイダに送信するステップとをさらに含む、請求項８に記載の方法。
【請求項１０】
前記第２の識別子が前記セッションに関連付けられていると判断するステップと、
前記セッションに関連付けられた前記セッション管理情報を検索するステップと、
前記セッション管理情報を前記サービスプロバイダに送信するステップとをさらに含む、請求項９に記載の方法。
【請求項１１】
第２のアクセスプロバイダから、前記サービスプロバイダについての第２のメッセージを受信するステップを含み、前記第２のメッセージはユーザのための第３の識別子に関連付けられ、さらに、
前記第３の識別子が前記第１の識別子にマップされていると判断するステップと、
前記メッセージから前記第３の識別子を分離するステップと、
前記第２のメッセージを前記第２の識別子に関連付けるステップと、
前記第２の識別子に関連付けられた前記第２のメッセージを前記サービスプロバイダに送信するステップとをさらに含む、請求項１に記載の方法。
【請求項１２】
前記サービスプロバイダについての前記メッセージを受信するステップは、第１のアイデンティティプロバイダにおいて前記メッセージを受信するステップを含み、前記サービスについての前記第２のメッセージを受信するステップは、第２のアイデンティティプロバイダにおいて前記第２のメッセージを受信するステップを含み、前記第３の識別子が前記第１の識別子にマップされていると判断するステップは、前記第２のアイデンティティプロバイダから、前記第１のアクセスプロバイダについてのユーザアドレスを前記第２のアクセスプロバイダについてのユーザアドレスにマップするユーザ識別マッピングを含むデータストレージにアクセスするステップを含む、請求項１１に記載の方法。
【請求項１３】
方法であって、
モバイルネットワークオペレータから、サービスプロバイダのためのメッセージを受信するステップを含み、前記メッセージはユーザのＭＳＩＳＤＮに関連付けられ、前記方法はさらに、
識別子を得るステップと、
前記識別子を認証するステップと、
前記メッセージから前記ＭＳＩＳＤＮを分離するステップと、
前記メッセージを前記識別子に関連付けるステップと、
前記識別子に関連付けられた前記メッセージを、前記識別子が認証されたという印とともに前記サービスプロバイダに送信するステップと、
前記ユーザの嗜好を示す個別化情報を前記サービスプロバイダに送信するステップとを含む、方法。
【請求項１４】
方法であって、
サービスプロバイダからユーザのためのメッセージを受信するステップを含み、前記メッセージは前記第１の識別子に関連付けられ、前記方法はさらに、
前記第１の識別子がアクセスプロバイダのために前記ユーザの第２の識別子にマップされていると判断するステップと、
前記メッセージから前記第１の識別子を分離するステップと、
前記第２の識別子を前記第２のメッセージに関連付けるステップと、
前記第１の識別子に関連付けられた前記第２のメッセージを前記アクセスプロバイダに送信するステップとを含む、方法。
【請求項１５】
システムであって、
アクセスプロバイダから受信したメッセージからユーザの第１の識別子を分離し、前記ユーザのための第２の識別子を得、前記第２の識別子を前記メッセージに関連付けるよう構成されるアイデンティティ構成要素と、
前記第２の識別子を認証し、前記第２の識別子が認証されたという印を前記メッセージに関連付けるよう構成された認証構成要素と、
前記第２の識別子に関連付けられた前記メッセージ、および前記印を前記サービスプロバイダに送信する通信インターフェイスとを含む、システム。